(57)【要約】 【課題】  受信側通信装置が受信波の変調方式を取得できない場合にも通信を正常に行うことのできる可能性を高めること。【解決手段】  第１フレームの復調に使用される変調方式を示す情報を記憶する変調方式識別子記憶部３０と、前記第１フレームの後に受信される第２フレームの変調方式を示す情報を取得する変調方式判定部２２と、変調方式識別子記憶部３０により記憶される第１フレームの変調方式を示す情報若しくは変調方式判定部２２により取得される前記第２フレームの変調方式を示す情報から一の変調方式を示す情報を選択し、該選択される変調方式を示す情報に基づいて前記第２フレームの変調方式を決定する変調方式識別子選択部２４と、変調方式識別子選択部２４により決定される変調方式を使用して第２フレームを復調することにより復調信号を取得する復号機能部３２と、を含むことを特徴とする。【選択図】        図４
2005318132.tif 000002
【特許請求の範囲】
【請求項１】
第１フレームの変調方式を示す情報を取得する第１フレーム変調方式取得手段と、
前記第１フレームの変調方式を示す情報に基づいて前記第１フレームの変調方式を決定する第１フレーム変調方式決定手段と、
前記第１フレーム変調方式決定手段により決定される前記変調方式を使用して前記第１フレームを復調することにより復調信号を取得する第１フレーム復調手段と、
前記第１フレーム復調手段により使用される前記第１フレームの変調方式を示す情報を記憶する変調方式記憶手段と、
前記第１フレームの後に受信される第２フレームの変調方式を示す情報を取得する第２フレーム変調方式取得手段と、
前記変調方式記憶手段により記憶される第１フレームの変調方式を示す情報若しくは前記第２フレーム変調方式取得手段により取得される前記第２フレームの変調方式を示す情報から一の変調方式を示す情報を選択し、該選択される変調方式を示す情報に基づいて前記第２フレームの変調方式を決定する第２フレーム変調方式決定手段と、
前記第２フレーム変調方式決定手段により決定される前記変調方式を使用して前記第２フレームを復調することにより復調信号を取得する第２フレーム復調手段と、
を含むことを特徴とする通信装置。
【請求項２】
請求項１に記載の通信装置において、
前記第１フレーム変調方式取得手段は、該第１フレームの変調方式を示す情報を含むフレームに含まれる変調方式を示す情報を取得することにより、前記第１フレームの変調方式を示す情報を取得する、
ことを特徴とする通信装置。
【請求項３】
請求項１又は２のいずれか１項に記載の通信装置において、
前記第２フレーム変調方式取得手段は、該第２フレームの変調方式を示す情報を含むフレームに含まれる変調方式を示す情報を取得することにより、前記第２フレームの変調方式を示す情報を取得する、
ことを特徴とする通信装置。
【請求項４】
請求項１から３のいずれか１項に記載の通信装置において、
前記第１フレーム復調手段により取得される復調信号の誤りを検出する誤り検出手段、をさらに含み、
前記変調方式記憶手段は、前記誤り検出手段により誤りが検出される場合に、前記第１フレーム復調手段により使用される前記変調方式を示す情報を記憶することを制限する、
ことを特徴とする通信装置。
【請求項５】
請求項１から４のいずれか１項に記載の通信装置において、
前記第２フレーム変調方式決定手段は、
第２フレーム変調方式取得手段により前記第２フレームの変調方式を示す情報が取得できたか否かを判断する判断手段を含み、
前記判断手段により第２フレーム変調方式取得手段により前記第２フレームの変調方式を示す情報が取得できたと判断される場合に、前記第２フレーム変調方式取得手段により取得される第２フレームの変調方式を示す情報を選択する、
ことを特徴とする通信装置。
【請求項６】
第１フレームの変調方式を示す情報を取得する第１フレーム変調方式取得ステップと、
前記第１フレームの変調方式を示す情報に基づいて前記第１フレームの変調方式を決定する第１フレーム変調方式決定ステップと、
前記第１フレーム変調方式決定ステップにおいて決定される前記変調方式を使用して前記第１フレームを復調することにより復調信号を取得する第１フレーム復調ステップと、
前記第１フレーム復調ステップにおいて使用される前記第１フレームの変調方式を示す情報を記憶する変調方式記憶ステップと、
前記第１フレームの後に受信される第２フレームの変調方式を示す情報を取得する第２フレーム変調方式取得ステップと、
前記変調方式記憶ステップにおいて記憶される第１フレームの変調方式を示す情報若しくは前記第２フレーム変調方式取得ステップにおいて取得される前記第２フレームの変調方式を示す情報から一の変調方式を示す情報を選択し、該選択される変調方式を示す情報に基づいて前記第２フレームの変調方式を決定する第２フレーム変調方式決定ステップと、
前記第２フレーム変調方式決定ステップにおいて決定される前記変調方式を使用して前記第２フレームを復調することにより復調信号を取得する第２フレーム復調ステップと、
を含むことを特徴とする変調方式決定方法。
【発明の詳細な説明】
【技術分野】
【０００１】
本発明は通信装置及び変調方式決定方法に関する。
【背景技術】
【０００２】
リンクアダプテーション方式を使用する通信システムにおいては、伝送路の状態に応じて複数の変復調方式が切り替えながら使用される。具体的には、例えば多値位相偏移変調方式での通信におけるリンクアダプテーション方式においては、位相の分割の細かさが伝送路状態に応じて切り替えられる。該多値位相偏移変調方式では、伝送路の状態がよい場合には位相を細かく分割して高速な通信を行い、伝送路の状態が悪い場合には位相を粗く分割して低速だが確実に復調できる通信を行うことを可能にしている。
【０００３】
なお特許文献１には、周波数の異なる複数の同一内容の放送を受信することができる受信機において、第１の周波数を受信強度検知手段によって電界強度を測定し所定のレベル以上であることを検出したときには第１の周波数を受信し音声出力をオンにする手段と、所定のレベルが検出されないときには第１の周波数の直前に受信していた周波数を受信する手段を設けた受信機が記載されている。
【特許文献１】特開平８−２５１０４９号公報
【発明の開示】
【発明が解決しようとする課題】
【０００４】
ここで、上記従来の方式では、送信側通信装置は送信波を変調した際に使用した変調方式を示す情報を送信し、受信側通信装置は該情報を受信することにより受信波の変調方式を取得する。しかし、通信装置間の通信の瞬断等により受信波の変調方式が正常に取得できない場合が生じる。このような場合には、正常に復調が出来ず、通信が正常に行えなくなるという問題が生じていた。
【０００５】
本発明は上記課題に鑑みてなされたものであって、その目的は、受信側通信装置が受信波の変調方式を取得できない場合にも通信を正常に行うことのできる可能性を高めることができる通信装置及び変調方式決定方法を提供することにある。
【課題を解決するための手段】
【０００６】
上記課題を解決するための本発明に係る通信装置は、１フレームの変調方式を示す情報を取得する第１フレーム変調方式取得手段と、前記第１フレームの変調方式を示す情報に基づいて前記第１フレームの変調方式を決定する第１フレーム変調方式決定手段と、前記第１フレーム変調方式決定手段により決定される前記変調方式を使用して前記第１フレームを復調することにより復調信号を取得する第１フレーム復調手段と、前記第１フレーム復調手段により使用される前記第１フレームの変調方式を示す情報を記憶する変調方式記憶手段と、前記第１フレームの後に受信される第２フレームの変調方式を示す情報を取得する第２フレーム変調方式取得手段と、前記変調方式記憶手段により記憶される第１フレームの変調方式を示す情報若しくは前記第２フレーム変調方式取得手段により取得される前記第２フレームの変調方式を示す情報から一の変調方式を示す情報を選択し、該選択される変調方式を示す情報に基づいて前記第２フレームの変調方式を決定する第２フレーム変調方式決定手段と、前記第２フレーム変調方式決定手段により決定される前記変調方式を使用して前記第２フレームを復調することにより復調信号を取得する第２フレーム復調手段と、を含むことを特徴とする。
【０００７】
このようにすることにより、受信側通信装置が受信波の変調方式を取得できない場合にも通信を正常に行うことのできる可能性を高めることができる。なお本願においては、フレームという単語を、復調単位を意味する単語として使用する。
【０００８】
また、上記通信装置において、前記第１フレーム変調方式取得手段は、該第１フレームの変調方式を示す情報を含むフレームに含まれる変調方式を示す情報を取得することにより、前記第１フレームの変調方式を示す情報を取得する、こととしてもよい。
【０００９】
また、上記通信装置において、前記第２フレーム変調方式取得手段は、該第２フレームの変調方式を示す情報を含むフレームに含まれる変調方式を示す情報を取得することにより、前記第２フレームの変調方式を示す情報を取得する、こととしてもよい。
【００１０】
また、上記通信装置において、前記第１フレーム復調手段により取得される復調信号の誤りを検出する誤り検出手段、をさらに含み、前記変調方式記憶手段は、前記誤り検出手段により誤りが検出される場合に、前記第１フレーム復調手段により使用される前記変調方式を示す情報を記憶することを制限する、こととしてもよい。
【００１１】
また、上記通信装置において、前記第２フレーム変調方式決定手段は、第２フレーム変調方式取得手段により前記第２フレームの変調方式を示す情報が取得できたか否かを判断する判断手段を含み、前記判断手段により第２フレーム変調方式取得手段により前記第２フレームの変調方式を示す情報が取得できたと判断される場合に、前記第２フレーム変調方式取得手段により取得される第２フレームの変調方式を示す情報を選択する、こととしてもよい。
【００１２】
また、本発明に係る変調方式決定方法は、第１フレームの変調方式を示す情報を取得する第１フレーム変調方式取得ステップと、前記第１フレームの変調方式を示す情報に基づいて前記第１フレームの変調方式を決定する第１フレーム変調方式決定ステップと、前記第１フレーム変調方式決定ステップにおいて決定される前記変調方式を使用して前記第１フレームを復調することにより復調信号を取得する第１フレーム復調ステップと、前記第１フレーム復調ステップにおいて使用される前記第１フレームの変調方式を示す情報を記憶する変調方式記憶ステップと、前記第１フレームの後に受信される第２フレームの変調方式を示す情報を取得する第２フレーム変調方式取得ステップと、前記変調方式記憶ステップにおいて記憶される第１フレームの変調方式を示す情報若しくは前記第２フレーム変調方式取得ステップにおいて取得される前記第２フレームの変調方式を示す情報から一の変調方式を示す情報を選択し、該選択される変調方式を示す情報に基づいて前記第２フレームの変調方式を決定する第２フレーム変調方式決定ステップと、前記第２フレーム変調方式決定ステップにおいて決定される前記変調方式を使用して前記第２フレームを復調することにより復調信号を取得する第２フレーム復調ステップと、を含むことを特徴とする。
【発明を実施するための最良の形態】
【００１３】
本発明の実施の形態について、図面を参照しながら説明する。
【００１４】
本実施の形態に係る移動体通信システム１は、図１に示すように基地局装置２、移動局装置３、通信ネットワーク４を含んで構成されている。基地局装置２は、通常通信ネットワーク４及び移動局装置３と通信を行う。
【００１５】
基地局装置２として使用される通信装置５は、図２に示すように、制御部１０と、無線通信部１１と、記憶部１２と、ネットワークインターフェイス部１３と、を含んで構成されている。制御部１０は、通信装置５の各部を制御し、通話やデータ通信に関わる処理を実行している。具体的には、無線通信部１１から入力される無線区間の信号を復調・復号するとともに、ネットワークインターフェイス部１３へ出力する処理や、ネットワークインターフェイス部１３から入力される信号を符号化・変調して無線通信部１１に出力する処理も行う。ネットワークインターフェイス部１３は、通信ネットワーク４と接続されており、通信ネットワーク４からの音声信号や通信用パケット等を受信して制御部１０に出力したり、制御部１０の指示に従って音声信号や通信用パケット等を通信ネットワーク４に対して送信したりする。無線通信部１１は、空中線を備え、移動局装置３からの音声信号や通信用パケット等をそれぞれ受信して周波数変換を行い制御部１０に出力したり、制御部１０から入力される指示に従って、制御部１０から入力される音声信号や通信用パケット等に基づき搬送波周波数帯域での信号を生成して空中線を介して出力したり、といった処理を行う。記憶部１２は、制御部１０のワークメモリとして動作する。また、この記憶部１２は、制御部１０によって行われる各種処理に関わるプログラムやパラメータを保持している。
【００１６】
移動局装置３として使用される通信装置６は、図３に示すように、制御部１４と、無線通信部１５と、記憶部１６と、表示部１７と、操作部１８と、を含んで構成されている。制御部１４は、通信装置６の各部を制御し、通話やデータ通信に関わる処理を実行している。無線通信部１５は、空中線を備え、制御部１４から入力される指示に従って、音声信号や通信用パケット等を変調して空中線を介して出力したり、空中線に到来する音声信号や通信用パケット等を受信して復調し、制御部１４に出力したり、といった処理を行う。記憶部１６は、制御部１４のワークメモリとして動作する。また、この記憶部１６は、制御部１４によって行われる各種処理に関わるプログラムやパラメータを保持している。表示部１７は、例えば液晶表示装置を含んで構成されており、制御部１４から入力される信号に従って情報を表示出力する。操作部１８は、例えばテンキー等であり、利用者から電話番号や文字列の入力を受けて制御部１４に出力している。
【００１７】
なお、無線通信部１１又は無線通信部１５において、アダプティブアレイアンテナを利用することができる。その場合には、無線通信部１１又は無線通信部１５は、アダプティブアレイアンテナと、搬送波周波数帯域での信号を生成するアナログ無線回路と、該アナログ無線回路に変調周波数を提供する基準信号回路と、該アナログ無線回路に入力する送信信号の周波数を変換するディジタル・アップサンプリング・コンバータ（ＤＵＣ）と、該アナログ無線回路により出力される受信信号の周波数を変換するディジタル・ダウンサンプリング・コンバータ（ＤＤＣ）とを含んで構成される。さらに制御部１０又は制御部１４は、ＤＵＣへの入力送信信号およびＤＤＣからの出力受信信号の信号処理を行う送受信ディジタル・シグナル・プロセッサ（ＤＳＰ）と、ＤＤＣからの受信信号を該ＤＳＰに出力し該ＤＳＰからの送信信号と送信アンテナ重みを合成しＤＵＣに搬送する経路制御回路（Ｐａｔｈ  Ｃｏｎｔｒｏｌｌｅｒ）と、当該制御部１０又は制御部１４に含まれるＤＳＰと接続される中央演算素子（ＣＰＵ）とを含んで構成される。
【００１８】
ここで、背景技術について再度詳細に説明する。
【００１９】
ＰＨＳ（Personal Handyphone System）等の移動体通信システムにおいて採用される時分割マルチキャリア方式では、信号相互の直交性を利用して周波数軸上での信号の多重を行う。そしてアダプティブアレイアンテナを利用する場合には、時分割された受信信号毎に参照信号を挿入し、受信信号と参照信号の相関を基に算出されたアンテナ重みを用いて信号再生を得る事を可能にしている。つまり、選択性フェージングの影響を緩和させる為に時分割された信号をマルチキャリアによって伝送を行うと共にアダプティブアレイアンテナを利用して伝送帯域内に存在する干渉波の除去を行う事で、通信品質の向上を図っている。さらにこれらに加え、伝送状況に応じて２種類以上の変調方式を適宜変更しながら通信を行うリンクアダプテーションと呼ばれる方式が使用される。
【００２０】
リンクアダプテーション方式では、移動局装置３から基地局装置２に対して送信される上り信号には、該上り信号の変調に用いられる変調方式を示す情報である変調方式識別子（Modulation Class）を含む信号であるＦＡＣＣＨ（Fast Associated Control CHannel）が含まれ、基地局装置２は該ＦＡＣＣＨから変調方式識別子を取得して、該変調方式識別子が示す変調方式に従った復調方式で受信処理を行う。同様に、基地局装置２から移動局装置３に対して送信される下り信号にも該下り信号の変調に用いられる変調方式を示す情報である変調方式識別子を含むＦＡＣＣＨが含まれ、移動局装置３は該ＦＡＣＣＨから変調方式識別子を取得して、該変調方式識別子が示す変調方式に従った復調方式で受信処理を行う。
【００２１】
そして従来は、図５に示すように、上り信号の変調方式識別子（ＣＭＣ）は、トラフィックチャネル（ＴＣＨ）の奇数フレーム時にＦＡＣＣＨに含められる。また、偶数フレーム時は電力制御等を行うための係数（Rx Parameter）がＦＡＣＣＨに含められる。つまり、移動局装置３は２ｋ＋１番目のフレームにおいてＦＡＣＣＨに変調方式識別子を含めて送信し、２ｋ＋２番目のフレームにおいてＦＡＣＣＨに電力制御等を行うための係数を含めて送信する。
【００２２】
このため、上り変調方式はＴＣＨの奇数フレーム送信時において、移動局装置３が基地局装置２からの指示情報に基づいて決定してＦＡＣＣＨに含め、次に続く偶数フレームも同様の上り変調方式が用いられる。つまり、基地局装置２は、２ｋ＋１番目のフレーム及び２ｋ＋２番目のフレームを２ｋ＋１番目のフレームに含まれる変調方式識別子が示す変調方式により復調及び復号する。このようなリンクアダプテーションは、２フレームから構成されるリンクアダプテーションと通常称される。
【００２３】
ここで、時分割マルチキャリア方式では、ＲＡＣＨ（ランダムアクセスチャネル）と該ＴＣＨを含むノーマルフレームと、ブロードキャストチャネル（ＢＣＨ）等のコンフィグレーションチャネルと、を含むスーパーフレームがマルチキャリアとして送信される（該スーパーフレームを図６に示す）。移動局装置３は基地局装置２との周波数や時間の同期や、移動局装置３の通信ネットワーク４への登録手続のため該スーパーフレームを受信している。また、登録が完了し、トラフィックチャネルの送受信が行われる最中も、移動局装置３は時々刻々と変化する基地局装置２との電波伝搬環境を保持するため、または接続している基地局装置２よりも該スーパーフレームの受信特性が高い他の基地局装置２を選定して該基地局装置２にハンドオーバーするために、当該基地局装置２から送信される上記スーパーフレームが受信可能である通常複数の基地局装置２からのスーパーフレームを一定周期ごとに受信している。
【００２４】
そしてスーパーフレームは、隔フレームでＢＣＨとして使用される。また、ＢＣＨとして使用されないフレームは、ＴＣＨとして使用される。こうすることで、周波数資源の有効利用が図られる。一方、移動局装置３がスーパーフレームを受信することに影響され、該移動局装置３が上記ノーマルフレームの奇数フレームの送信においてＦＡＣＣＨを含めることができないことがある。この場合、基地局装置２が奇数フレームにおいてＦＡＣＣＨを受信できず、該基地局装置２は該奇数フレーム及び直後の偶数フレームの変調方式を判定できない。このため、誤った変調方式で当フレームの復調処理を行ってしまう場合がある。このような場合、ＴＣＨの送受信は寸断してしまい、通信性能が劣化する。あるいは、基地局装置２において移動局装置３との通信が一旦切断され、再度接続することとなるため、通信転送速度特性が劣化する。このため、このような場合にも通信が寸断或いは切断されないよう、基地局装置２において適切な変調方式を取得する必要があった。
【００２５】
そこで、本実施の形態では基地局装置２として使用される通信装置５の制御部１０において変調方式を記憶する構成を取ることにより、適切な変調方式を取得することを可能にしている。該構成を説明するために、制御部１０の機能ブロック図を参照しながら、制御部１０における処理について詳細に説明する。
【００２６】
図４は制御部１０の機能ブロック図である。制御部１０は、機能的には受信部２０、変調方式判定部２２、変調方式識別子選択部２４、リンクアダプテーションスイッチ２６、ＭＯＤｎ復号部２８−ｎ及び変調方式識別子記憶部３０を含んで構成されている。そして、リンクアダプテーションスイッチ２６及びＭＯＤｎ復号部２８−ｎは復号機能部３２を構成している。またリンクアダプテーションスイッチ２６は、切替器３４−１及び３４−２を含んで構成される。
【００２７】
受信部２０は、無線通信部１１から出力される受信信号を受け入れる。そして、該受信信号を復号機能部３２の復調単位である受信フレームとして復号機能部３２に出力する。なお該受信部２０は、例えば無線通信部１１においてアダプティブアレイアンテナを使用する場合においては、ＤＤＣから送出される所定のサンプリング時間で離散化された変調信号を受信信号として受け取る。そして所望信号を抽出するためのアンテナ重みと補正係数と受信性能を表す係数を算出する検波部を含む。この際、参照信号が必要となる場合があり、該参照信号としては搬送波周波数、到来方向、変調方式、偏波等が一般的に利用される。さらに受信部２０は、補正係数を利用して受け取った該変調信号とアンテナ重みとを合成して所望信号を抽出する合成部を含む。そして該所望信号を受信フレームとして復号機能部３２に出力する。
【００２８】
変調方式判定部２２は、受信部２０が受け入れる受信フレームに含まれる該受信フレームの変調方式を示す情報を取得することにより該受信フレーム及びその後に受信されるフレームの変調方式を判定する。つまり、通信相手となる移動局装置３は、従来公知のリンクアダプテーション方式により変調方式を切り替えつつ信号を送信する。この場合において移動局装置３は、その変調方式を送信信号に含めて送信している。具体的には、上述のようにＦＡＣＣＨと呼ばれる制御コードが送信フレームに含まれ、受信側では該ＦＡＣＣＨを取得することにより受信フレームの変調方式を示す情報である変調方式識別子を取得する。なお、該変調方式判定部２２は上述の奇数フレーム受信時に該変調方式識別子を取得することができる。そして上述のように該奇数フレームに変調方式識別子が含まれないことがあり、この場合には変調方式識別子を取得することができず、受信フレームの変調方式を判定することもできない。
【００２９】
変調方式識別子選択部２４は、後述する変調方式識別子記憶部３０に記憶される変調方式識別子と、変調方式判定部２２が判定する変調方式識別子とから、受信フレームの復調に使用する変調方式識別子を選択し、リンクアダプテーションスイッチ２６及び変調方式識別子記憶部３０に出力する。すなわち、変調方式識別子選択部２４は選択される変調方式識別子に基づいて受信フレーム（第２フレーム）の変調方式を決定している。そして変調方式識別子記憶部３０に記憶される変調方式識別子を選択する場合には、変調方式判定部２２が判定する変調方式識別子を使用せず、以前に受信した受信フレーム（第１フレーム）を復号機能部３２が復調及び復号した変調方式での復調及び復号を行うことになる。なお該変調方式識別子選択部２４における変調方式識別子の選択は、変調方式判定部２２が受信フレームの変調方式を判定できたか否かを判断して、判定できたと判断される場合に、変調方式判定部２２が取得した変調方式識別子を選択することとすることができる。
【００３０】
復号機能部３２は、受信部２０から出力される受信フレームを復調及び復号する。具体的には、リンクアダプテーションスイッチ２６は変調方式識別子選択部２４から出力される変調方式識別子に従って、切替器３４−１及び３４−２を制御する。つまり、例えば変調方式識別子が受信フレームの変調方式がＭＯＤ１復号部２８−１で行われる変調方式であることを示す場合には、各切替器をＭＯＤ１復号部２８−１に切り替えることにより、ＭＯＤ１復号部２８−１と受信部２０及び出力先との電気的接続を行う。そして、ＭＯＤ１復号部２８−１は受信部２０から出力される受信フレームを復調及び復号する。すなわち、ＭＯＤｎ復号部２８−ｎは、割り当てられた変調方式で復調及び復号ができるように構成されている。そして、リンクアダプテーションスイッチ２６は、変調方式識別子に対応する変調方式が割り当てられる各ＭＯＤｎ復号部２８−ｎの電気的接続を実現するように構成されている。
【００３１】
また、各ＭＯＤｎ復号部２８−ｎは、受信フレームに含まれる誤りを検査する。具体的には巡回冗長符号（Cyclic Redundancy Checking，ＣＲＣ）を検査することにより誤りを検査することができる。そして受信フレームが該検査（以下、誤り検査と称する）に合格する場合には、復号された受信フレームを図示しない信号処理部に出力する。受信フレームが該検査に合格しない場合には、従来公知の再送制御処理を開始する。
【００３２】
そして、変調方式識別子記憶部３０は、復号機能部３２において受信フレームが誤り検査に合格した場合、すなわち受信フレームに含まれる誤りが許容される範囲であった場合に該変調方式を示す変調方式識別子を記憶する。一方、受信フレームが誤り検査に合格しなかった場合、すなわち受信フレームに含まれる誤りが許容されない範囲であった場合には該変調方式を示す変調方式識別子を記憶することを制限することができる。すなわち、記憶しないとすることができる。
【００３３】
次に、該変調方式識別子選択部２４における変調方式識別子の選択処理について、フロー図を参照しながら詳細に説明する。
【００３４】
図７は変調方式識別子記憶部３０における処理の一例を示すフロー図である。まず、ＴＣＨとして使用されるフレームのフレーム番号が０以上であるか否かを判断する（Ｓ１００）。すなわち、通信を開始する際にはフレーム番号が０であるので、そのような場合にはランダムアクセスチャネルにおいて決定される変調方式識別子を変数ＬａｓｔＣＭＣに代入する（Ｓ１０２）。なお、ＦＡＣＣＨに変調方式識別子が含まれるフレームは奇数フレームであるので、フレーム番号が０の場合の復調及び復号には、変調方式識別子はランダムアクセスチャネルにおいて決定されるものが使用される。また、ランダムアクセスチャネルにおいて決定される変調方式識別子は、変調方式識別子選択部２４から出力されている。フレーム番号が０でない場合にはフレーム番号が偶数であるか否かを判断し（Ｓ１０４）、偶数である場合には、受信フレームがＣＲＣによる検査に合格しているか否かを判断する（Ｓ１０６）。該ＣＲＣによる検査は各ＭＯＤｎ復号部２８−ｎで行われ、変調方式識別子記憶部３０はその結果を取得している。そしてＣＲＣによる誤り検査に合格している場合には、該受信フレームの復調及び復号に使用された変調方式識別子を変数ＬａｓｔＣＭＣに代入する（Ｓ１０８）。なお、該受信フレームの復調及び復号に使用された変調方式識別子は変調方式識別子選択部２４から出力されている。そして、変数ＬａｓｔＣＭＣを記憶することにより、変調方式識別子が記憶される。一方、フレーム番号が偶数でない場合及び受信信号がＣＲＣによる誤り検査に合格していない場合には、それまでの処理で記憶されている変調方式識別子をそのまま記憶することになる。
【００３５】
図８は変調方式識別子選択部２４における処理の一例を示すフロー図である。ここでは、無線通信部１１においてアダプティブアレイアンテナを使用することとして説明する。まず、ＴＣＨとして使用されるキャリアのフレーム番号が０以上であるか否かを判断する（Ｓ１２０）。すなわち、通信を開始する際にはフレーム番号が０であるので、そのような場合にはランダムアクセスチャネルにおいて決定される変調方式識別子を変数ＣＭＣに代入する（Ｓ１２２）。そして、フレーム番号が奇数である場合には（Ｓ１２４）、受信フレームの直前の偶数フレームが参照信号と同期がとれているか否かを判断し（Ｓ１２６）、取れている場合には、ＦＡＣＣＨに含まれる変調方式識別子を変数ＣＭＣに代入する（Ｓ１２８）。取れていない場合には、変調方式識別子記憶部３０において記憶される変調方式識別子を読み出し、変数ＣＭＣに代入する。なお、例えば移動局装置３がトレーニングシーケンスと呼ばれる既知の信号を全てのフレームに含めて送信し、該信号を基地局装置２側で保持している参照信号であるトレーニングシーケンスと比較した結果、基地局装置２がトレーニングシーケンスを正確に受信できていると判断される場合に、同期が取れているとすることができる。
【００３６】
すなわち、偶数フレームにおけるＴＣＨ又はスーパーフレームに含まれるＴＣＨの受信時の復調に用いる変調方式として、ノーマルフレームの奇数フレームに含まれる信号であるＦＡＣＣＨに含まれる変調方式識別子を取得できる場合には、該変調方式識別子を変数ＣＭＣに代入する。そして、該変調方式識別子を取得できない場合には、変調方式識別子記憶部３０において記憶される変調方式識別子を読み出し、変数ＣＭＣに代入する。そして変数ＣＭＣに記憶される変調方式識別子をリンクアダプテーションスイッチ２６及び変調方式識別子記憶部３０に出力する。そして復号機能部３２では、奇数フレーム又は偶数フレームにおけるＴＣＨ若しくはスーパーフレームに含まれるＴＣＨの少なくとも１のＴＣＨに対し、該変調方式識別子を使用して復調を行う。一方、ＦＡＣＣＨに含まれる変調方式識別子が正常に取得できている場合には、従来公知のリンクアダプテーション技術と同様、変調方式識別子をリンクアダプテーションスイッチ２６及び変調方式識別子記憶部３０に出力することになる。
【００３７】
以上のようにすることにより、受信側通信装置が受信フレームの変調方式を取得できない場合にも通信を正常に行うことが可能になる。そして、特に時間分割データの送受信をマルチキャリア方式で行う場合のＢＣＨ受信に伴い変調方式識別子を取得できない場合の影響を低減し、データ伝送性能の向上を図ることができる。ひいては、データの再送が減少し、リソースの有効活用を図ることができる。さらに、受信フレームの変調方式を取得できない場合でも、以前の変調方式を記憶して使用することにより、少なくとも過去の受信フレームがＣＲＣ検査に合格した変調方式で復調及び復号することができる。このようにすることで、より確実に受信フレームを復調及び復号することを可能としている。
【００３８】
なお、本発明は上記実施の形態に限定されるものではない。
【００３９】
例えば、上記実施の形態では移動体通信システムで使用される基地局装置を例に取り説明しているが、移動体通信システムでなくても、変調方式を送信側で指定することにより通信を行う通信装置に適用することが可能である。すなわち本発明によれば、復調及び復号に成功した実績のある変調方式を後に受信する受信波の復調及び復号に使用することができる。
【図面の簡単な説明】
【００４０】
【図１】本発明の実施の形態に係る移動体通信システムの構成図である。
【図２】本発明の実施の形態に係る通信装置の構成ブロック図である。
【図３】本発明の実施の形態に係る通信装置の構成ブロック図である。
【図４】本発明の実施の形態に係る通信装置の機能ブロック図である。
【図５】ＰＨＳで使用される信号のシーケンス図である。
【図６】ＰＨＳで使用されるスーパーフレームの構成図である。
【図７】本発明の実施の形態に係る処理のフロー図である。
【図８】本発明の実施の形態に係る処理のフロー図である。
【符号の説明】
【００４１】
１  移動体通信システム、２  基地局装置、３  移動局装置、４  通信ネットワーク、５，６  通信装置、１０，１４  制御部、１１，１５  無線通信部、１２，１６  記憶部、１３  ネットワークインターフェイス部、１７  表示部、１８  操作部、２０  受信部、２２  変調方式判定部、２４  変調方式識別子選択部、２６  リンクアダプテーションスイッチ、２８−ｎ  ＭＯＤｎ復号部、３０  変調方式識別子記憶部、３２  復号機能部、３４−ｎ  切替器。
【図１】
2005318132.tif 000003
【図２】
2005318132.tif 000004
【図３】
2005318132.tif 000005
【図４】
2005318132.tif 000006
【図５】
2005318132.tif 000007
【図６】
2005318132.tif 000008
【図７】
2005318132.tif 000009
【図８】
2005318132.tif 000010